【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
指向方向を変えることができる送信アンテナを有する送信装置と、指向方向を変えることができる受信アンテナを有する受信装置とを含み、前記送信装置と前記受信装置とは、前記送信アンテナと前記受信アンテナの複数の指向方向のペアから少なくとも１つの前記指向方向のペアを選択して通信を行う通信システムであって、
前記送信装置と前記受信装置とのいずれかが、
前記送信アンテナおよび前記受信アンテナの複数の指向方向のペアのそれぞれについて、主波の到来タイミングを取得する取得手段と、
通信に使用する前記指向方向のペアの候補を抽出する抽出手段であって、前記候補の１つについての前記到来タイミングと、他の前記候補についての前記到来タイミングとの差が所定時間以上となるように、複数の前記指向方向のペアから前記候補を抽出する抽出手段と、
を有し、
通信に使用される少なくとも１つの前記指向方向のペアは前記候補から選択される、
ことを特徴とする通信システム。
【請求項２】
前記抽出手段は、互いの前記主波の到来タイミングの差が前記所定時間より小さい２つ以上の前記指向方向のペアをグループとして、前記グループから１つの前記指向方向のペアを前記候補として抽出する、
ことを特徴とする請求項１に記載の通信システム。
【請求項３】
前記抽出手段は、前記グループに含まれる２つ以上の前記指向方向のペアの中から、前記主波の振幅の大きさに基づいて前記候補を抽出する、
ことを特徴とする請求項２に記載の通信システム。
【請求項４】
前記抽出手段は、前記グループに含まれる２つ以上の前記指向方向のペアの中から、前記主波の通信品質に基づいて、前記候補を抽出する、
ことを特徴とする請求項２に記載の通信システム。
【請求項５】
前記送信装置と前記受信装置とのいずれかが、前記候補から、通信に使用する少なくとも１つの前記指向方向のペアを選択する選択手段を有する、
ことを特徴とする請求項１から４のいずれか１項に記載の通信システム。
【請求項６】
前記選択手段は、所定の通信品質を満たす前記候補から、通信に使用する前記指向方向のペアを選択する、
ことを特徴とする請求項５に記載の通信システム。
【請求項７】
前記選択手段は、前記主波の電力と当該主波が遅延波から受ける干渉の電力とを用いて前記候補の通信品質を算出し、当該通信品質が前記所定の通信品質を満たすかを判定することにより、通信に使用する前記指向方向のペアを選択する、
ことを特徴とする請求項６に記載の通信システム。
【請求項８】
前記選択手段は、前記候補に含まれる所定数の前記指向方向のペアの組み合わせの少なくとも一部について指向方向の共分散を算出し、当該共分散の絶対値に基づき、通信に使用する前記所定数の前記指向方向のペアを選択する、
ことを特徴とする請求項５から７のいずれか１項に記載の通信システム。
【請求項９】
前記共分散の絶対値が最も大きい前記所定数の前記指向方向のペアの組み合わせを、通信に使用する前記所定数の前記指向方向のペアとして選択する、
ことを特徴とする請求項８に記載の通信システム。
【請求項１０】
前記共分散の絶対値が所定値を超える前記所定数の前記指向方向のペアの組み合わせの中から、通信に使用する前記所定数の前記指向方向のペアとして選択する、
ことを特徴とする請求項８に記載の通信システム。
【請求項１１】
前記主波は、伝送路のインパルス応答の振幅が最も大きくなるタイミングで到来する電波である、
ことを特徴とする請求項１から１０のいずれか１項に記載の通信システム。
【請求項１２】
前記主波は、伝送路のインパルス応答の振幅が所定値以上の振幅を有する電波であって、最も早い到来タイミングで到来した電波である、
ことを特徴とする請求項１から１０のいずれか１項に記載の通信システム。
【請求項１３】
指向方向を変えることができる送信アンテナを有する送信装置と、指向方向を変えることができる受信アンテナを有する受信装置とを含み、前記送信装置と前記受信装置とは、前記送信アンテナと前記受信アンテナの複数の指向方向のペアから少なくとも１つの前記指向方向のペアを選択して通信を行う通信システムにおいて、通信に使用する少なくとも１つの前記指向方向のペアの候補を抽出する制御装置であって、
前記送信アンテナおよび前記受信アンテナの複数の指向方向のペアのそれぞれについて、主波の到来タイミングを取得する取得手段と、
通信に使用する前記指向方向のペアの候補を抽出する抽出手段であって、前記候補の１つについての前記到来タイミングと、他の前記候補についての前記到来タイミングとの差が所定時間以上となるように、複数の前記指向方向のペアから前記候補を抽出する抽出手段と、
を有することを特徴とする制御装置。
【請求項１４】
前記抽出手段は、互いの前記主波の到来タイミングの差が前記所定時間より小さい２つ以上の前記指向方向のペアをグループとして、前記グループから１つの前記指向方向のペアを前記候補として抽出する、
ことを特徴とする請求項１３に記載の制御装置。
【請求項１５】
前記抽出手段は、前記グループに含まれる２つ以上の前記指向方向のペアの中から、前記主波の振幅の大きさに基づいて前記候補を抽出する、
ことを特徴とする請求項１４に記載の制御装置。
【請求項１６】
前記抽出手段は、前記グループに含まれる２つ以上の前記指向方向のペアの中から、前記主波の通信品質に基づいて前記候補を抽出する、
ことを特徴とする請求項１４に記載の制御装置。
【請求項１７】
前記候補から通信に使用する前記指向方向のペアを少なくとも１つ選択する選択手段をさらに有する、
ことを特徴とする請求項１３から１６のいずれか１項に記載の制御装置。
【請求項１８】
前記主波は、伝送路のインパルス応答の振幅が最も大きくなるタイミングで到来する電波である、
ことを特徴とする請求項１３から１７のいずれか１項に記載の制御装置。
【請求項１９】
前記主波は、伝送路のインパルス応答の振幅が所定値以上の振幅を有する電波であって、最も早い到来タイミングで到来した電波である、
ことを特徴とする請求項１３から１７のいずれか１項に記載の制御装置。
【請求項２０】
前記制御装置は、前記送信装置または前記受信装置に含まれる、
ことを特徴とする請求項１３から１９のいずれか１項に記載の制御装置。
【請求項２１】
指向方向を変えることができる送信アンテナを有する送信装置と、指向方向を変えることができる受信アンテナを有する受信装置とを含み、前記送信装置と前記受信装置とは、前記送信アンテナと前記受信アンテナの複数の指向方向のペアから少なくとも１つの前記指向方向のペアを選択して通信を行う通信システムの制御方法であって、
前記送信装置と前記受信装置とのいずれかにおいて、
取得手段が、前記送信アンテナおよび前記受信アンテナの複数の指向方向のペアのそれぞれについて、主波の到来タイミングを取得する取得工程と、
抽出手段が、通信に使用する前記指向方向のペアの候補を抽出する抽出工程であって、前記候補の１つについての前記到来タイミングと、他の前記候補についての前記到来タイミングとの差が所定時間以上となるように、複数の前記指向方向のペアから前記候補を抽出する抽出工程と、
を有し、
通信に使用される少なくとも１つの前記指向方向のペアは前記候補から選択される、
ことを特徴とする制御方法。
【請求項２２】
指向方向を変えることができる送信アンテナを有する送信装置と、指向方向を変えることができる受信アンテナを有する受信装置とを含み、前記送信装置と前記受信装置とは、前記送信アンテナと前記受信アンテナの複数の指向方向のペアから少なくとも１つの前記指向方向のペアを選択して通信を行う通信システムにおいて、通信に使用する少なくとも１つの前記指向方向のペアの候補を抽出する制御装置の制御方法であって、
取得手段が、前記送信アンテナおよび前記受信アンテナの複数の指向方向のペアのそれぞれについて、主波の到来タイミングを取得する取得工程と、
抽出手段が、通信に使用する前記指向方向のペアの候補を抽出する抽出工程であって、前記候補の１つについての前記到来タイミングと、他の前記候補についての前記到来タイミングとの差が所定時間以上となるように、複数の前記指向方向のペアから前記候補を抽出する抽出工程と、
を有することを特徴とする制御方法。
【請求項２３】
指向方向を変えることができる送信アンテナを有する送信装置と、指向方向を変えることができる受信アンテナを有する受信装置とを含み、前記送信装置と前記受信装置とは、前記送信アンテナと前記受信アンテナの複数の指向方向のペアから少なくとも１つの前記指向方向のペアを選択して通信を行う通信システムにおいて、通信に使用する少なくとも１つの前記指向方向のペアの候補を抽出する制御装置が有するコンピュータに、
前記送信アンテナおよび前記受信アンテナの複数の指向方向のペアのそれぞれについて、主波の到来タイミングを取得する取得工程と、
通信に使用する前記指向方向のペアの候補を抽出する抽出工程であって、前記候補の１つについての前記到来タイミングと、他の前記候補についての前記到来タイミングとの差が所定時間以上となるように、複数の前記指向方向のペアから前記候補を抽出する抽出工程と、
を実行させるためのプログラム。